(57)【要約】  コネクタ５は、第１のポート５３と、第２のポート５４と、第１のシール部材５７と、第２のシール部材５８とを具備している。第１のポート５４と第１の口金部１１は、基準方向Ｄに延びる第１のポート５３の少なくとも一部と基準方向Ｄに延びる第１の口金部１１の少なくとも一部とが重なり合うようにして接続され、重なり合う２つの部分の間に、第１のシール部材５７が位置する。第２のポート５４と第２の口金部１２は、基準方向Ｄにおいて、第２のポート５４の少なくとも一部と第２の口金部１２の少なくとも一部とが押し合うようにして接続され、押し合う２つの部分の間に、第２のシール部材５８が位置する。
2019155661.tif 000002
【特許請求の範囲】
【請求項１】
気腹器のレセプタクルに設けられた第１の口金部および第２の口金部に対して、患者の腹腔内に連通する第１のチューブおよび第２のチューブを接続するために用いられる気腹器用コネクタであって、
互いに反対側に位置する第１の端部および第２の端部を有し、前記レセプタクルに嵌合するコネクタ本体と、
前記コネクタ本体における前記第１の端部側に配置され、それぞれ前記第１のチューブおよび前記第２のチューブが接続される第１の接続部および第２の接続部と、
前記コネクタ本体における前記第２の端部側に配置され、前記第１の接続部に接続された前記第１のチューブに連通し、且つ前記コネクタ本体が前記レセプタクルに嵌合された状態である嵌合状態において前記第１の口金部と接続且つ連通する第１のポートと、
前記コネクタ本体における前記第２の端部側に配置され、前記第２の接続部に接続された前記第２のチューブに連通し、且つ前記嵌合状態において前記第２の口金部と接続且つ連通する第２のポートと、
前記嵌合状態において前記第１のポートと前記第１の口金部との間を封止する第１のシール部材と、
前記嵌合状態において前記第２のポートと前記第２の口金部との間を封止する第２のシール部材とを具備し、
前記第１の端部および前記第２の端部と交差する仮想の直線に平行な方向を基準方向としたときに、前記第１のポートは、前記第１の口金部とは、前記基準方向に延びる前記第１のポートの少なくとも一部と前記基準方向に延びる前記第１の口金部の少なくとも一部とが重なり合うようにして接続され、
前記第２のポートは、前記第２の口金部とは、前記基準方向において、前記第２のポートの少なくとも一部と前記第２の口金部の少なくとも一部とが押し合うようにして接続され、
前記第１のシール部材は、前記嵌合状態において、重なり合う前記第１のポートの少なくとも一部と前記第１の口金部の少なくとも一部との間に位置するように、前記第１のポート内に配置され、
前記第２のシール部材は、前記嵌合状態において、押し合う前記第２のポートの少なくとも一部と前記第２の口金部の少なくとも一部との間に位置するように、前記第２のポート内に配置されていることを特徴とする気腹器用コネクタ。
【請求項２】
前記第１のポートは、前記第１の口金部の少なくとも一部の外周面に対向し且つ前記基準方向に平行な中心軸を有する内周面と、前記内周面において前記中心軸周り方向に形成された溝部とを含み、
前記第１のシール部材は、環状の形状を有し、その一部が前記溝部に収容されていることを特徴とする請求項１に記載の気腹器用コネクタ。
【請求項３】
前記第１のシール部材は、弾性変形可能な材料よりなることを特徴とする請求項１に記載の気腹器用コネクタ。
【請求項４】
前記第２のポートは、前記基準方向に延びる突出部を含み、
前記２のシール部材は、前記突出部の先端に設けられていることを特徴とする請求項１に記載の気腹器用コネクタ。
【請求項５】
前記第２のシール部材は、弾性変形可能な材料よりなることを特徴とする請求項１に記載の気腹器用コネクタ。
【請求項６】
前記第１のポートと前記第１の口金部とが接続且つ連通することによって構成される第１の経路は、前記腹腔内に気腹用気体を供給するための経路であり、
前記第２のポートと前記第２の口金部とが接続且つ連通することによって構成される第２の経路は、前記腹腔内の圧力を伝達するための経路であることを特徴とする請求項１に記載の気腹器用コネクタ。
【請求項７】
第１の口金部と、第２の口金部と、前記第１の口金部および前記第２の口金部が設けられたレセプタクルとを有する気腹器と、
患者の腹腔内に連通する第１のチューブおよび第２のチューブと、
前記第１の口金部および前記第２の口金部に対して前記第１のチューブおよび前記第２のチューブを接続するために用いられる気腹器用コネクタとを具備する気腹装置であって、
前記気腹器用コネクタは、
互いに反対側に位置する第１の端部および第２の端部を有し、前記レセプタクルに嵌合するコネクタ本体と、
前記コネクタ本体における前記第１の端部側に配置され、それぞれ前記第１のチューブおよび前記第２のチューブが接続される第１の接続部および第２の接続部と、
前記コネクタ本体における前記第２の端部側に配置され、前記第１の接続部に接続された前記第１のチューブに連通し、且つ前記コネクタ本体が前記レセプタクルに嵌合された状態である嵌合状態において前記第１の口金部と接続且つ連通する第１のポートと、
前記コネクタ本体における前記第２の端部側に配置され、前記第２の接続部に接続された前記第２のチューブに連通し、且つ前記嵌合状態において前記第２の口金部と接続且つ連通する第２のポートと、
前記嵌合状態において前記第１のポートと前記第１の口金部との間を封止する第１のシール部材と、
前記嵌合状態において前記第２のポートと前記第２の口金部との間を封止する第２のシール部材とを具備し、
前記第１の端部および前記第２の端部と交差する仮想の直線に平行な方向を基準方向としたときに、前記第１のポートは、前記第１の口金部とは、前記基準方向に延びる前記第１のポートの少なくとも一部と前記基準方向に延びる前記第１の口金部の少なくとも一部とが重なり合うようにして接続され、
前記第２のポートは、前記第２の口金部とは、前記基準方向において、前記第２のポートの少なくとも一部と前記第２の口金部の少なくとも一部とが押し合うようにして接続され、
前記第１のシール部材は、前記嵌合状態において、重なり合う前記第１のポートの少なくとも一部と前記第１の口金部の少なくとも一部との間に位置するように、前記第１のポート内に配置され、
前記第２のシール部材は、前記嵌合状態において、押し合う前記第２のポートの少なくとも一部と前記第２の口金部の少なくとも一部との間に位置するように、前記第２のポート内に配置されていることを特徴とする気腹装置。
【請求項８】
前記第１のポートは、前記第１の口金部の少なくとも一部の外周面に対向し且つ前記基準方向に平行な中心軸を有する内周面と、前記内周面において前記中心軸周り方向に形成された溝部とを含み、
前記第１のシール部材は、環状の形状を有し、その一部が前記溝部に収容されていることを特徴とする請求項７に記載の気腹装置。
【請求項９】
前記第１のシール部材は、弾性変形可能な材料よりなり、前記嵌合状態では、重なり合った前記第１のポートと前記第１の口金部の各々から外力を受けて変形し、前記第１のシール部材から前記第１のポートと前記第１の口金部の各々に向かって生じる第１の反発力によって前記第１のポートと前記第１の口金部との間を封止することを特徴とする請求項７に記載の気腹装置。
【請求項１０】
前記第２のポートは、前記基準方向に延びる突出部を含み、
前記２のシール部材は、前記突出部の先端に設けられていることを特徴とする請求項７に記載の気腹装置。
【請求項１１】
前記第２のシール部材は、弾性変形可能な材料よりなり、前記嵌合状態では、押し合った前記第２のポートと前記第２の口金部の各々から外力を受けて変形し、前記第２のシール部材から前記第２のポートと前記第２の口金部の各々に向かって生じる第２の反発力によって前記第２のポートと前記第２の口金部との間を封止することを特徴とする請求項７に記載の気腹装置。
【請求項１２】
前記第２の口金部は、前記基準方向に移動可能に設けられた口金本体と、前記口金本体に対して前記基準方向に付勢力を与える付勢部材とを含み、
前記嵌合状態では、前記第２のポートの少なくとも一部は、前記口金本体を押し込み、前記付勢部材は、前記口金本体に対して、押し込まれた方向とは反対の方向に付勢力を与えることを特徴とする請求項７に記載の気腹装置。
【請求項１３】
前記付勢部材は、ばねであることを特徴とする請求項１２に記載の気腹装置。
【請求項１４】
前記第１のポートと前記第１の口金部とが接続且つ連通することによって構成される第１の経路は、前記腹腔内に気腹用気体を供給するための経路であり、
前記第２のポートと前記第２の口金部とが接続且つ連通することによって構成される第２の経路は、前記腹腔内の圧力を伝達するための経路であり、
前記気腹器は、更に、前記第１の経路の一部を構成し且つ前記気腹用気体を供給する送気管路と、圧力センサと、前記第２の経路の一部を構成し且つ前記圧力センサに連通する圧力測定管路とを有することを特徴とする請求項７に記載の気腹装置。
【発明の詳細な説明】
【技術分野】
【０００１】
本発明は、気腹器に複数のチューブを接続するために用いられる気腹器用コネクタ、および気腹器と気腹器用コネクタとを具備する気腹装置に関する。
【背景技術】
【０００２】
近年、患者への侵襲を小さくする目的で、開腹することなく治療処置を行う腹腔鏡下外科手術が行われている。腹腔鏡下外科手術は、患者への侵襲が低いという点から、様々な患者や部位に適用され始めている。具体的には、通常よりも容積が小さい腹腔や直腸等に適用されたり、通常よりも容積が大きい肥満患者等の腹腔に適用されたりしている。【０００３】
腹腔鏡下外科手術においては、例えば、観察用の内視鏡と、処置具と、気腹用気体が患者の腹腔内に導かれる。気腹用気体は、腹腔を膨らませるためのものであり、内視鏡の視野を確保する目的と、処置具の操作領域を確保する目的で用いられる。気腹用気体としては、例えば二酸化炭素ガスが用いられる。気腹用気体は、腔内の圧力を一定にするように、その流量が制御される。【０００４】
気腹用気体を送気する装置としては、例えば、日本国特開２００５−２４５７７２号公報に記載された気腹器が用いられる。この気腹器は、気腹用気体の供給量を制御するバルブユニットと、気腹用気体の供給路に設けられている圧力センサとを備えている。腹腔内の圧力は、気腹用気体の腹腔内への供給を断続的に行って、送気を停止している状態において、圧力センサによって測定される。【０００５】
しかし、日本国特開２００５−２４５７７２号公報に記載された気腹器では、送気を停止している状態において腹腔内の圧力を測定するため、圧力制御の応答性が悪く、特に、通常よりも容積が小さい腹腔や直腸等に気腹用気体を送気する場合には、腹腔内の圧力を一定に維持することが難しい。【０００６】
そこで、気腹用気体の供給路とは別に、圧力測定専用の管路を設けた構成の気腹器が考えられる。この構成の気腹器では、腹腔内の圧力をリアルタイムに測定し、且つ圧力測定結果に基づいて気腹用気体の流量を制御することによって、腹腔内の圧力を一定に維持することが可能になる。【０００７】
上記の構成の気腹器では、少なくとも、気腹用気体の供給路と腹腔とを接続するチューブと、圧力測定専用の管路と腹腔とを接続するチューブが必要になる。このように、気腹器に用いられるチューブの数が増加すると、気腹器に設けられた口金部にチューブを接続する時間が増えてしまい、その結果、腹腔鏡下外科手術の準備時間が延びてしまう。これを防止するためには、複数の口金部に対して複数のチューブをワンタッチで接続できる構成にすることが望ましい。【０００８】
また、一般的に、気腹用気体の供給路の口金部や圧力測定専用の管路の口金部にチューブを接続する際には、気体が漏洩して気腹用気体の流量が低下したり、腹腔内の圧力を誤測定したりすることを防止するために、口金部を確実に封止することが必要である。これは、上記のように、複数の口金部に対して複数のチューブをワンタッチで接続できる構成においても同様である。【０００９】
なお、通常よりも容積が大きい腹腔に気腹用気体を送気する場合には、気腹用気体の供給路を複数設けた構成の気腹器が考えられる。この構成の気腹器では、気腹用気体の供給路と腹腔とを接続するチューブが必要になる。この構成の気腹器においても、複数の口金部に対して複数のチューブをワンタッチで接続できる構成にすることが望ましく、且つ複数の口金部を確実に封止することが必要である。【００１０】
そこで、本発明は、気腹器に設けられた２つの口金部に対して２本のチューブをワンタッチで接続することができ、且つ２つの口金部が不完全な状態で封止されることを防止することができる気腹器用コネクタおよび気腹装置を提供することを目的とする。
【発明の開示】
【課題を解決するための手段】
【００１１】
本発明の一態様の気腹器用コネクタは、気腹器のレセプタクルに設けられた第１の口金部および第２の口金部に対して、患者の腹腔内に連通する第１のチューブおよび第２のチューブを接続するために用いられる気腹器用コネクタであって、互いに反対側に位置する第１の端部および第２の端部を有し、前記レセプタクルに嵌合するコネクタ本体と、前記コネクタ本体における前記第１の端部側に配置され、それぞれ前記第１のチューブおよび前記第２のチューブが接続される第１の接続部および第２の接続部と、前記コネクタ本体における前記第２の端部側に配置され、前記第１の接続部に接続された前記第１のチューブに連通し、且つ前記コネクタ本体が前記レセプタクルに嵌合された状態である嵌合状態において前記第１の口金部と接続且つ連通する第１のポートと、前記コネクタ本体における前記第２の端部側に配置され、前記第２の接続部に接続された前記第２のチューブに連通し、且つ前記嵌合状態において前記第２の口金部と接続且つ連通する第２のポートと、前記嵌合状態において前記第１のポートと前記第１の口金部との間を封止する第１のシール部材と、前記嵌合状態において前記第２のポートと前記第２の口金部との間を封止する第２のシール部材とを具備し、前記第１の端部および前記第２の端部と交差する仮想の直線に平行な方向を基準方向としたときに、前記第１のポートは、前記第１の口金部とは、前記基準方向に延びる前記第１のポートの少なくとも一部と前記基準方向に延びる前記第１の口金部の少なくとも一部とが重なり合うようにして接続され、前記第２のポートは、前記第２の口金部とは、前記基準方向において、前記第２のポートの少なくとも一部と前記第２の口金部の少なくとも一部とが押し合うようにして接続され、前記第１のシール部材は、前記嵌合状態において、重なり合う前記第１のポートの少なくとも一部と前記第１の口金部の少なくとも一部との間に位置するように、前記第１のポート内に配置され、前記第２のシール部材は、前記嵌合状態において、押し合う前記第２のポートの少なくとも一部と前記第２の口金部の少なくとも一部との間に位置するように、前記第２のポート内に配置されている。【００１２】
また、本発明の一態様の気腹装置は、第１の口金部と、第２の口金部と、前記第１の口金部および前記第２の口金部が設けられたレセプタクルとを有する気腹器と、患者の腹腔内に連通する第１のチューブおよび第２のチューブと、前記第１の口金部および前記第２の口金部に対して前記第１のチューブおよび前記第２のチューブを接続するために用いられる気腹器用コネクタとを具備する気腹装置であって、前記気腹器用コネクタは、互いに反対側に位置する第１の端部および第２の端部を有し、前記レセプタクルに嵌合するコネクタ本体と、前記コネクタ本体における前記第１の端部側に配置され、それぞれ前記第１のチューブおよび前記第２のチューブが接続される第１の接続部および第２の接続部と、前記コネクタ本体における前記第２の端部側に配置され、前記第１の接続部に接続された前記第１のチューブに連通し、且つ前記コネクタ本体が前記レセプタクルに嵌合された状態である嵌合状態において前記第１の口金部と接続且つ連通する第１のポートと、前記コネクタ本体における前記第２の端部側に配置され、前記第２の接続部に接続された前記第２のチューブに連通し、且つ前記嵌合状態において前記第２の口金部と接続且つ連通する第２のポートと、前記嵌合状態において前記第１のポートと前記第１の口金部との間を封止する第１のシール部材と、前記嵌合状態において前記第２のポートと前記第２の口金部との間を封止する第２のシール部材とを具備し、前記第１の端部および前記第２の端部と交差する仮想の直線に平行な方向を基準方向としたときに、前記第１のポートは、前記第１の口金部とは、前記基準方向に延びる前記第１のポートの少なくとも一部と前記基準方向に延びる前記第１の口金部の少なくとも一部とが重なり合うようにして接続され、前記第２のポートは、前記第２の口金部とは、前記基準方向において、前記第２のポートの少なくとも一部と前記第２の口金部の少なくとも一部とが押し合うようにして接続され、前記第１のシール部材は、前記嵌合状態において、重なり合う前記第１のポートの少なくとも一部と前記第１の口金部の少なくとも一部との間に位置するように、前記第１のポート内に配置され、前記第２のシール部材は、前記嵌合状態において、押し合う前記第２のポートの少なくとも一部と前記第２の口金部の少なくとも一部との間に位置するように、前記第２のポート内に配置されている。
【図面の簡単な説明】
【００１３】
【図１】本発明の実施の形態に係わる気腹装置を含む内視鏡システムの構成を示す説明図である。
【図２】本発明の実施の形態における気腹器の構成を示す説明図である。
【図３】本発明の実施の形態に係わるコネクタの断面図である。
【図４】図３に示したコネクタの正面図である。
【図５】本発明の実施の形態における第２のシール部材の断面図である。
【図６】本発明の実施の形態におけるレセプタクルと第１および第２の口金部の断面図である。
【図７】図６に示したレセプタクルと第１および第２の口金部の正面図である。
【図８】本発明の実施の形態に係わるコネクタがレセプタクルに嵌合した状態を示す断面図である。
【図９】図８に示した状態における第１のポート、第１のシール部材および第１の口金部の断面図である。
【図１０】図８に示した状態における第２のポート、第２のシール部材および第２の口金部の断面図である。
【図１１】本発明の実施の形態に係わる気腹装置の変形例の構成を示す説明図である。
【図１２】本発明の実施の形態に係わるコネクタの変形例の断面図である。
【図１３】本発明の実施の形態における第１および第２の口金部の変形例とレセプタクルの断面図である。
【図１４】図１２に示したコネクタが図１３に示したレセプタクルに嵌合した状態を示す断面図である。
【発明を実施するための最良の形態】
【００１４】
以下、図面を参照して、本発明の実施の形態を説明する。【００１５】
（内視鏡システムの構成）
始めに、図１を参照して、本発明の実施の形態に係わる気腹装置を含む内視鏡システム１００の構成について説明する。ここでは、患者９０の腹腔９１内の患部を手術対象とする場合を例にとって説明する。図１に示したように、内視鏡システム１００は、主に、内視鏡装置６０と、患者９０に対して手術を行うための外科手術装置としての電気メス装置７０と、本実施の形態に係わる気腹装置１とを備えている。【００１６】
内視鏡装置６０は、内視鏡６１と、内視鏡６１に供給される照明光を発生する光源装置６２と、内視鏡６１と光源装置６２とを接続するライトガイドケーブル６３と、内視鏡６１の接眼部に装着された内視鏡カメラ６４と、ビデオプロセッサ６５と、モニタ６６と、内視鏡カメラ６４とビデオプロセッサ６５とを接続する撮像ケーブル６７とを備えている。【００１７】
内視鏡６１は、挿入部６１Ａを有している。挿入部６１Ａは、患者９０に穿刺されたトラカール８１を介して、患者９０の腹腔９１内に挿入される。また、挿入部６１Ａは、その内部に設けられたライトガイドと、挿入部６１Ａの先端に位置する照明窓および観察窓とを有している。光源装置６２において発生した照明光は、ライトガイドケーブル６３およびライトガイドを順に伝送して、照明窓から腹腔９１内の患部に対して照射される。【００１８】
照明光によって照らされた患部等の被写体は、観察窓に設けられた対物レンズによって光学像として結像される。この光学像は、接眼部に伝送される。内視鏡カメラ６４は、接眼部に伝送された光学像を撮像し、撮像信号を生成する。この撮像信号は、撮像ケーブル６７を介してビデオプロセッサ６５に伝送される。ビデオプロセッサ６５は、撮像信号に対して所定の信号処理を行うことによって映像信号を生成する。モニタ６６は、ビデオプロセッサ６５が生成した映像信号を内視鏡画像として表示する。【００１９】
なお、内視鏡カメラ６４が装着された内視鏡６１の代わりに、挿入部の先端部に撮像素子を内蔵した内視鏡を用いてもよい。【００２０】
電気メス装置７０は、電気メス７１と、電気メス７１に供給される高周波電力を発生する電気メス電源装置７２と、電気メス７１と電気メス電源装置７２とを電気的に接続するケーブル７３とを備えている。電気メス７１は、患者９０に穿刺されたトラカール８２を介して、患者９０の腹腔９１内に挿入される。術者は、電気メス７１の把持部等に設けられた図示しないスイッチを操作することによって、焼灼等の所定の処置を行うことができる。【００２１】
気腹装置１は、内視鏡６１の視野と電気メス７１による手術領域を確保するために、気腹用気体を腹腔９１に供給することによって、腹腔９１を膨らませる装置である。気腹装置１は、装置本体である気腹器２と、患者９０の腹腔９１内に連通する第１のチューブ３および第２のチューブ４と、本実施の形態に係わる気腹器用コネクタ（以下、単にコネクタと記す。）５と、気腹用気体としての二酸化炭素を収納する二酸化炭素ガスボンベ（以下、単にガスボンベと記す。）６とを具備している。気腹器２には、各種の操作や設定を行うための図示しない操作部と、腹腔９１内の圧力や送気流量等を表示する図示しない表示部とが設けられている。【００２２】
コネクタ５は、第１および第２のチューブ３，４の各々の一端部を気腹器２に接続するために用いられる。第１および第２のチューブ３，４の各々の他端部は、例えば、患者９０に穿刺されたトラカール８３に接続されている。トラカール８３は、第１および第２のチューブ３，４と腹腔９１内とを連通させる管路を有している。なお、コネクタ５は、ディスポーザブルタイプのコネクタであってもよい。【００２３】
（気腹器の構成）
以下、図２を参照して、気腹器２の構成について詳しく説明する。気腹器２は、第１の口金部１１と、第２の口金部１２と、第１および第２の口金部１１，１２が設けられたレセプタクル１０とを有している。レセプタクル１０には、後述するコネクタ５のコネクタ本体が嵌合される。コネクタ５は、第１および第２の口金部１１，１２に対して第１および第２のチューブ３，４を接続するために用いられる。第１の口金部１１には、コネクタ５を介して、第１のチューブ３が接続される。第２の口金部１２には、コネクタ５を介して、第２のチューブ４が接続される。本実施の形態では、第１のチューブ３は、患者９０の腹腔９１（図１参照）内に気腹用気体を供給するためのものである。第２のチューブ４は、患者９０の腹腔９１内の圧力を伝達するためのものである。なお、後で、レセプタクル１０と第１および第２の口金部１１，１２の構成について詳しく説明する。【００２４】
気腹器２は、更に、送気管路１３を有している。送気管路１３の一端は、第１の口金部１１に接続されている。送気管路１３の他端は、ガスボンベ６に接続されている。送気管路１３は、ガスボンベ６の気腹用気体（二酸化炭素）を、第１の口金部１１まで導く管路である。【００２５】
気腹器２は、更に、送気管路１３の途中に、ガスボンベ６側から順に設けられた減圧器１４、流量圧力調整器１５、圧力センサ１６、流量センサ１７および電磁弁１８を有している。減圧器１４は、ガスボンベ６から送気される気腹用気体の圧力を減圧する。流量圧力調整器１５は、減圧された気腹用気体の流量および圧力を調整する。圧力センサ１６は、流量圧力調整器１５によって調整された気腹用気体の圧力を測定する。流量センサ１７は、流量圧力調整器１５によって調整された気腹用気体の流量を測定する。電磁弁１８は、送気管路１３の開閉を行う。【００２６】
気腹器２は、更に、圧力センサ２０と、圧力センサ２０に連通する圧力測定管路１９とを有している。圧力測定管路１９の一端は、第２の口金部１２に接続されている。圧力測定管路１９の他端は、圧力センサ２０に接続されている。圧力測定管路１９は、第２のチューブ４を介して第２の口金部１２に伝達された患者９０の腹腔９１内の圧力を、圧力センサ２０に伝達する管路である。圧力センサ２０は、圧力測定管路１９によって伝達された患者９０の腹腔９１内の圧力を測定する。【００２７】
気腹器２は、更に、制御基板２１と、電源２２とを有している。制御基板２１は、信号線を介して、流量圧力調整器１５、圧力センサ１６、流量センサ１７、電磁弁１８および圧力センサ２０に電気的に接続されている。電源２２は、電源線を介して、流量圧力調整器１５、圧力センサ１６、流量センサ１７、電磁弁１８、圧力センサ２０および制御基板２１に電気的に接続されている。【００２８】
制御基板２１は、図示しない操作部に入力された操作内容および設定値や、圧力センサ２０の測定値に基づいて、流量圧力調整器１５および電磁弁１８を制御する図示しない中央演算処理装置（以下、ＣＰＵと記す。）を含んでいる。ＣＰＵは、患者９０の腹腔９１内の圧力が設定値に一致するように、流量圧力調整器１５を制御すると共に、電磁弁１８を制御して、気腹用気体の供給の開始と停止を制御する。なお、ＣＰＵは、圧力センサ１６の測定値や流量センサ１７の測定値に基づいて、気腹用気体の流量と圧力を制御することもできる。【００２９】
制御基板２１は、更に、図示しない操作部に入力された操作内容および設定値を記憶する記憶部を含んでいてもよい。この場合、ＣＰＵは、記憶部に記憶された内容に基づいて、流量圧力調整器１５および電磁弁１８を制御してもよい。【００３０】
（コネクタの構成）
次に、図３および図４を参照して、本実施の形態に係わるコネクタ５の構成について詳しく説明する。図３は、コネクタ５の断面図である。図４は、図３に示したコネクタ５の正面図である。コネクタ５は、レセプタクル１０（図２参照）に嵌合するコネクタ本体５０を具備している。以下、コネクタ本体５０がレセプタクル１０に嵌合された状態を、嵌合状態と言う。コネクタ本体５０は、金属材料によって構成されていてもよいし、樹脂材料によって構成されていてもよいし、金属材料と樹脂材料とを組み合わせて構成されていてもよい。図３には、コネクタ本体５０が金属材料よりなる例を示している。【００３１】
図３に示したように、コネクタ本体５０は、互いに反対側に位置する第１の端部５０ａおよび第２の端部５０ｂと、第１の端部５０ａと第２の端部５０ｂとを接続する外周面５０ｃとを有している。図４は、第２の端部５０ｂ側から見たコネクタ５を示している。ここで、図３に示したように、基準方向Ｄを定義する。基準方向Ｄは、第１および第２の端部５０ａ，５０ｂと交差する仮想の直線Ｌ１に平行な方向である。【００３２】
本実施の形態では、コネクタ本体５０の、基準方向Ｄに垂直な断面の形状は、ほぼＤ字形状である。図４に示したように、コネクタ本体５０の外周面５０ｃは、曲面部５０ｃ１と平面部５０ｃ２とを含んでいる。なお、コネクタ本体５０の上記断面の形状は、Ｄ字形状に限らず、円形状、楕円形状、多角形状等であってもよいし、基準方向Ｄの位置に応じて異ならせてもよい。【００３３】
図３に示したように、コネクタ本体５０は、更に、外周面５０ｃにおいてコネクタ本体５０の軸周り方向に形成された支持溝５０ｄを有している。支持溝５０ｄには、後述するレセプタクル１０の係止部材が嵌入される。なお、コネクタ本体５０の軸周り方向とは、コネクタ本体５０の中心軸周りの方向を意味する。コネクタ本体５０の中心軸は、仮想の直線Ｌ１および基準方向Ｄに平行である。【００３４】
コネクタ５は、更に、コネクタ本体５０における第１の端部５０ａ側に配置された第１の接続部５１および第２の接続部５２と、コネクタ本体５０における第２の端部５０ｂ側に配置された第１のポート５３および第２のポート５４とを具備している。第１のポート５３は、嵌合状態において第１の口金部１１が接続される位置に配置され、第２のポート５４は、嵌合状態において第２の口金部１２が接続される位置に配置される。図３および図４に示した例では、第１のポート５３と第２のポート５４は、基準方向Ｄに垂直な方向（図３および図４における上下方向）に並んでいる。【００３５】
なお、第１の口金部１１と第２の口金部１２の位置が、後で説明する図６および図７に示した例と異なる場合には、第１の口金部１１と第２の口金部１２の位置に合わせて、第１のポート５３と第２のポート５４の位置が変更される。【００３６】
第１および第２の接続部５１，５２は、それぞれ、第１の端部５０ａから突出している。第１の接続部５１には、第１のチューブ３が挿嵌接続されている。第２の接続部５２には、第２のチューブ４が挿嵌接続されている。【００３７】
図３に示したように、本実施の形態では、第１のポート５３は、コネクタ本体５０の第２の端部５０ｂに掘られた溝状の部分である。第１のポート５３は、基準方向Ｄに延びる形状を有している。第１のポート５３の基準方向Ｄに垂直な断面の形状は、円形状である。また、第１のポート５３は、基準方向Ｄに平行な中心軸を有する内周面５３ａと、内周面５３ａにおいて上記中心軸周り方向に形成された溝部５３ｂとを含んでいる。【００３８】
なお、第１のポート５３は、上記のような溝状の部分に限らず、第２の端部５０ｂ側に固定された筒状の部品によって構成されていてもよい。【００３９】
図３に示したように、本実施の形態では、第２のポート５４は、コネクタ本体５０の第２の端部５０ｂに掘られた溝部５４ａと、基準方向Ｄに延びるように溝部５４ａの底部から突出する突出部５４ｂとを含んでいる。溝部５４ａは、基準方向Ｄに延びる形状を有している。溝部５４ａの基準方向Ｄに垂直な断面の形状は、円形状である。突出部５４ｂの形状は、基準方向Ｄに延びる円柱形状である。突出部５４ｂの先端には、後述する第２のシール部材を取り付けるための段差が形成されている。なお、この段差は、突出部５４ｂの必須の構成要素ではなく、設けられていなくてもよい。【００４０】
なお、第２のポート５４は、上記の構成に限らず、突出部５４ｂと、その内部に突出部５４ｂが配置された、第２の端部５０ｂ側に固定された筒状の部品とによって構成されていてもよい。【００４１】
コネクタ５は、更に、第１のポート５３と第１の接続部５１に接続された第１のチューブ３とを連通させる第１の管路５５と、第２のポート５４と第２の接続部５２に接続された第２のチューブ４とを連通させる第２の管路５６とを具備している。第１の管路５５は、一端が第１のポート５３の底部で開口し、他端が第１の接続部５１の先端で開口している。これにより、第１のポート５３は、第１のチューブ３に連通する。また、第２の管路５６は、一端が第２のポート５４の突出部５４ｂの先端で開口し、他端が第２の接続部５２の先端で開口している。これにより、第２のポート５４は、第２のチューブ４に連通する。【００４２】
嵌合状態では、第１のポート５３は、第１の口金部１１（図２参照）と接続且つ連通し、第２のポート５４は、第２の口金部１２（図２参照）と接続且つ連通する。コネクタ５は、更に、嵌合状態において第１のポート５３と第１の口金部１１との間を封止する第１のシール部材５７と、嵌合状態において第２のポート５４と第２の口金部１２との間を封止する第２のシール部材５８とを具備している。【００４３】
第１のシール部材５７は、第１のポート５３内に配置されている。具体的には、第１のシール部材５７は、環状の形状を有し、その一部が第１のポート５３の溝部５３ｂに収容されている。第１のシール部材５７の残りの部分は、第１のポート５３の内周面５３ａによって囲まれた空間に露出している。第１のシール部材５７は、弾性変形可能な材料よりなる。弾性変形可能な材料としては、例えば、ゴム等の樹脂材料が用いられる。本実施の形態では特に、第１のシール部材５７は、Ｏリングである。【００４４】
第２のシール部材５８は、第２のポート５４内に配置されている。具体的には、第２のシール部材５８は、第２のポート５４の突出部５４ｂの先端に設けられており、ガスケットとして用いられる。第２のシール部材５８は、弾性変形可能な材料よりなる。弾性変形可能な材料としては、例えば、ゴム等の樹脂材料が用いられる。【００４５】
ここで、図５を参照して、第２のシール部材５８の形状について詳しく説明する。図５は、第２のシール部材５８の断面図である。第２のシール部材５８の外観形状は、基準方向Ｄに延びる円柱形状である。第２のシール部材５８は、互いに反対側を向いた第１の面５８ａおよび第２の面５８ｂと、第１の面５８ａにおいて開口する嵌合孔５８ｃと、嵌合孔５８ｃに連続し、第２の面５８ｂにおいて開口する通気孔５８ｄとを有している。第２のシール部材５８は、嵌合孔５８ｃが、突出部５４ｂの先端に形成された段差（図３参照）に嵌合することによって、突出部５４ｂに取り付けられる。通気孔５８ｄは、第２のシール部材５８が突出部５４ｂに取り付けられた状態では、第２の管路５６（図３参照）に連通する。【００４６】
（レセプタクルと第１および第２の口金部の構成）
次に、図６および図７を参照して、レセプタクル１０と第１および第２の口金部１１，１２の構成について詳しく説明する。図６は、レセプタクル１０と第１および第２の口金部１１，１２の断面図である。図７は、図６に示したレセプタクル１０と第１および第２の口金部１１，１２の正面図である。なお、以下、嵌合状態におけるレセプタクル１０の姿勢を基準にして、レセプタクル１０と第１および第２の口金部１１，１２の構成を説明する。図６に示した基準方向Ｄの定義は、図３に示した基準方向Ｄの定義と同じである。【００４７】
図６および図７に示した例では、第１の口金部１１と第２の口金部１２は、基準方向Ｄに垂直な方向（図６および図７における上下方向）に並ぶように、レセプタクル１０に設けられている。しかし、第１の口金部１１と第２の口金部１２の配置は、図６および図７に示した例に限られない。例えば、第１の口金部１１と第２の口金部１２は、図７における左右方向に並んでいてもよいし、図７における上下方向と左右方向の各々に対して傾いた方向に並んでいてもよい。【００４８】
レセプタクル１０、第１の口金部１１および第２の口金部１２は、それぞれ、金属材料によって構成されていてもよいし、樹脂材料によって構成されていてもよいし、金属材料と樹脂材料とを組み合わせて構成されていてもよい。図６には、レセプタクル１０、第１の口金部１１および第２の口金部１２がいずれも金属材料よりなる例を示している。【００４９】
レセプタクル１０は、コネクタ本体５０が挿入される嵌合孔１０Ａを有している。嵌合孔１０Ａは、コネクタ本体５０に対応した形状を有している。本実施の形態では、嵌合孔１０Ａの、基準方向Ｄに垂直な断面の形状は、ほぼＤ字形状である。図７に示したように、嵌合孔１０Ａの内周面は、曲面部１０Ａ１と平面部１０Ａ２とを含んでいる。【００５０】
レセプタクル１０は、更に、コネクタ本体５０を係止する少なくとも１つの係止部材と、少なくとも１つの係止部材用孔とを有している。図６および図７に示した例では、４つの係止部材１０Ｂが、レセプタクル１０の軸周り方向に所定の間隔を開けて配置されている。係止部材１０Ｂは、先端部が嵌合孔１０Ａ内に突出するように、係止部材用孔１０Ｃに挿入固定されている。係止部材１０Ｂとしては、例えばボールプランジャが用いられる。なお、レセプタクル１０の軸周り方向とは、レセプタクル１０の中心軸周りの方向を意味する。レセプタクル１０の中心軸は、基準方向Ｄに平行である。【００５１】
第１の口金部１１の少なくとも一部は、基準方向Ｄに延びる円筒形状を有している。本実施の形態では、第１の口金部１１の全体が、上記円筒形状を有している。第１の口金部１１は、互いに反対側に位置する第１の端部１１ａおよび第２の端部１１ｂと、外周面１１ｃと、第１および第２の端部１１ａ，１１ｂの各々において開口する管路１１ｄとを有している。第１の口金部１１は、第１の端部１１ａと外周面１１ｃの少なくとも一部が嵌合孔１０Ａ内に位置するように、レセプタクル１０に固定されている。管路１１ｄは、嵌合孔１０Ａと送気管路１３（図２参照）に連通している。【００５２】
第２の口金部１２は、基準方向Ｄに移動可能に設けられた口金本体１２１と、口金本体１２１に対して基準方向Ｄに付勢力を与える付勢部材１２２と、口金本体１２１と付勢部材１２２を収容する収容部材１２３と、抜け止め部材１２４とを含んでいる。図６に示したように、本実施の形態では、付勢部材１２２は、ばね、より具体的にはコイルばねである。【００５３】
口金本体１２１は、フランジ部１２１ａと、このフランジ部１２１ａから基準方向Ｄに延びる管状部１２１ｂと、口金本体１２１を基準方向Ｄに貫通する管路１２１ｃとを含んでいる。フランジ部１２１ａと管状部１２１ｂの各々の基準方向Ｄに垂直な断面の形状は、円形状である。フランジ部１２１ａの外径は、管状部１２１ｂの外径よりも大きい。管路１２１ｃは、フランジ部１２１ａと管状部１２１ｂの各々の端部において開口し、嵌合孔１０Ａと圧力測定管路１９（図２参照）に連通している。【００５４】
収容部材１２３は、基準方向Ｄに延びる円筒形状を有しており、その一部が嵌合孔１０Ａ内に位置するように、レセプタクル１０に固定されている。収容部材１２３は、嵌合孔１０Ａに連通する収容孔１２３ａと、この収容孔１２３ａとレセプタクル１０の外部に連通する通過孔１２３ｂとを有している。口金本体１２１は、収容孔１２３ａと通過孔１２３ｂに挿通されている。収容孔１２３ａの内径は、フランジ部１２１ａの外径よりもわずかに大きい。これにより、口金本体１２１は、収容孔１２３ａ内において基準方向Ｄに移動可能である。また、通過孔１２３ｂの内径は、管状部１２１ｂの外径よりもわずかに大きいが、フランジ部１２１ａの外径よりも小さい。そのため、管状部１２１ｂは、通過孔１２３ｂを通過することができるが、フランジ部１２１ａは、通過孔１２３ｂを通過することができない。収容孔１２３ａと通過孔１２３ｂとの間には、各々の内径の違いに起因する段差が存在する。【００５５】
図６に示したように、付勢部材１２２（コイルばね）は、収容部材１２３の収容孔１２３ａに収容されており、口金本体１２１のフランジ部１２１ａと、収容部材１２３の上記段差との間に挟まれている。付勢部材１２２（コイルばね）の内側には、口金本体１２１の管状部１２１ｂが挿通されている。【００５６】
抜け止め部材１２４は、レセプタクル１０の外部において口金本体１２１の管状部１２１ｂに固定されている。抜け止め部材１２４は、口金本体１２１が収容部材１２３から脱落することを防止する機能を有する。【００５７】
（嵌合状態）
次に、図４、図７ないし図１０を参照して、コネクタ本体５０がレセプタクル１０に嵌合された状態である嵌合状態について説明する。図８は、嵌合状態を示す断面図である。図９は、嵌合状態における第１のポート５３、第１のシール部材５７および第１の口金部１１の断面図である。図１０は、嵌合状態における第２のポート５４、第２のシール部材５８および第２の口金部１２の断面図である。【００５８】
コネクタ本体５０がレセプタクル１０に嵌合される際には、コネクタ本体５０は、コネクタ本体５０の外周面５０ｃの平面部５０ｃ２（図４参照）が、レセプタクル１０の嵌合孔１０Ａの内周面の平面部１０Ａ２（図７参照）に一致するような姿勢で、嵌合孔１０Ａに挿入される。そして、図８に示したように、コネクタ本体５０は、コネクタ本体５０の支持溝５０ｄに、係止部材１０Ｂの先端部が嵌入する位置まで挿入される。これにより、コネクタ本体５０がレセプタクル１０に嵌合される。【００５９】
平面部１０Ａ２，５０ｃ２は、レセプタクル１０に対するコネクタ本体５０の姿勢を決定する機能を有する。係止部材１０Ｂは、コネクタ本体５０を係止して、コネクタ本体５０がレセプタクル１０から脱落することを防止する機能を有する。なお、平面部１０Ａ２，５０ｃ２、係止部材１０Ｂおよび支持溝５０ｄは、レセプタクル１０およびコネクタ本体５０の必須の構成要素ではなく、設けられていなくてもよい。【００６０】
第１のポート５３は、以下のようにして、第１の口金部１１と接続且つ連通する。図８および図９に示したように、嵌合状態では、第１のポート５３は、第１の口金部１１とは、基準方向Ｄに延びる第１のポート５３の少なくとも一部と基準方向Ｄに延びる第１の口金部１１の少なくとも一部とが重なり合うようにして接続される。本実施の形態では、第１のポート５３内に第１の口金部１１が挿入されるように、第１の口金部１１の外径は第１のポート５３の内径よりも小さい。また、本実施の形態では、第１のポート５３のほぼ全体と、第１の口金部１１のうちの嵌合孔１０Ａ内に位置する部分とが、基準方向Ｄにおいて重なり合っている。【００６１】
また、第１のポート５３と第１の口金部１１は、第１のポート５３が第１の口金部１１に接続されることにより連通する。コネクタ５の第１の管路５５の開口と第１の口金部１１の管路１１ｄの開口は、嵌合状態において、それらの位置がほぼ一致するように構成されている。【００６２】
第１のポート５３と第１の口金部１１とが接続且つ連通することによって、第１の経路が構成される。この第１の経路は、患者９０の腹腔９１（図１参照）内に気腹用気体を供給するための経路である。図２に示した送気管路１３は、第１の経路の一部を構成し、且つ気腹用気体を供給する。第１のチューブ３は、第１の経路の他の一部を構成する。【００６３】
第２のポート５４は、以下のようにして、第２の口金部１２と接続且つ連通する。図８および図１０に示したように、第２のポート５４は、第２の口金部１２とは、基準方向Ｄにおいて、第２のポート５４の少なくとも一部と第２の口金部１２の少なくとも一部とが押し合うようにして接続される。本実施の形態では、コネクタ本体５０がレセプタクル１０に嵌合される際に、第２のポート５４の溝部５４ａ内に第２の口金部１２の収容部材１２３が挿入され、且つ、収容部材１２３の収容孔１２３ａ内に第２のポート５４の突出部５４ｂが挿入されるように、収容部材１２３の外径は溝部５４ａの内径よりも小さく、且つ、突出部５４ｂの外径は収容孔１２３ａの内径よりも小さい。【００６４】
なお、コネクタ本体５０がレセプタクル１０に嵌合される際には、第２のシール部材５８も収容部材１２３の収容孔１２３ａ内に挿入される。そのため、第２のシール部材５８の外径は収容孔１２３ａの内径よりも小さい。【００６５】
収容孔１２３ａ内に挿入された突出部５４ｂは、第２の口金部１２の口金本体１２１を押し込む。口金本体１２１が押し込まれると、口金本体１２１には、付勢部材１２２の復元力によって、押し込まれた方向とは反対方向に付勢力が与えられる。その結果、突出部５４ｂは、口金本体１２１によって、押し込まれた方向とは反対方向の反発力を受ける。このようにして、突出部５４ｂと口金本体１２１とが、押し合うようにして接続される。【００６６】
また、第２のポート５４と第２の口金部１２は、第２のポート５４が第２の口金部１２に接続されることにより連通する。コネクタ５の第２の管路５６の開口と口金本体１２１の管路１２１ｃの開口は、嵌合状態において、それらの位置が、第２のシール部材５８の通気孔５８ｄの開口の位置にほぼ一致するように構成されている。【００６７】
第２のポート５４と第２の口金部１２とが接続且つ連通することによって、第２の経路が構成される。この第２の経路は、患者９０の腹腔９１（図１参照）内の圧力を伝達するための経路である。図２に示した圧力測定管路１９は、第２の経路の一部を構成する。第２のチューブ４は、第２の経路の他の一部を構成する。【００６８】
第１のシール部材５７は、嵌合状態において第１のポート５３と第１の口金部１１との間を封止する部材である。本実施の形態では、第１のポート５３の内周面５３ａは、第１の口金部１１の外周面１１ｃの一部に対向している。第１のシール部材５７は、嵌合状態において、重なり合う第１のポート５３の少なくとも一部と第１の口金部１１の少なくとも一部との間、具体的には内周面５３ａと外周面１１ｃとの間に位置するように、第１のポート５３内に配置されている。なお、上記の外周面１１ｃの一部は、第１のポート５３と重なり合う第１の口金部１１の一部の外周面とも言える。嵌合状態以外の状態では、第１のシール部材５７の内径は、第１の口金部１１の外径よりもわずかに小さい。【００６９】
図９に示したように、嵌合状態では、第１のシール部材５７は、重なり合った第１のポート５３と第１の口金部１１の各々から外力を受けて変形する。その結果、第１のシール部材５７の材料の復元力によって、第１のシール部材５７から第１のポート５３と第１の口金部１１の各々に向かって第１の反発力Ｆ１が生じる。第１の反発力Ｆ１によって、第１のシール部材５７が第１のポート５３と第１の口金部１１に密着し、第１のポート５３と第１の口金部１１との間が封止される。【００７０】
第２のシール部材５８は、嵌合状態において第２のポート５４と第２の口金部１２との間を封止する部材である。第２のシール部材５８は、嵌合状態において、押し合う第２のポート５４の突出部５４ｂと第２の口金部１２の口金本体１２１との間に位置するように、第２のポート５４内に配置されている。【００７１】
図１０に示したように、嵌合状態では、第２のシール部材５８は、押し合った突出部５４ｂと口金本体１２１の各々から外力を受けて変形する。その結果、第２のシール部材５８の材料の復元力によって、第２のシール部材５８から第２のポート５４と第２の口金部１２の各々に向かって第２の反発力Ｆ２が生じる。第２の反発力Ｆ２によって、第２のシール部材５８が突出部５４ｂと口金本体１２１に密着し、第２のポート５４と第２の口金部１２との間が封止される。【００７２】
第２のシール部材５８の圧縮量は、第２のシール部材５８が突出部５４ｂと口金本体１２１の両方から受ける外力の大きさに依存する。この外力の大きさは、付勢部材１２２によって口金本体１２１に与えられる付勢力に依存する。付勢力の大きさは、基準方向Ｄにおける突出部５４ｂの長さすなわち突出部５４ｂが口金本体１２１を押し込む距離と、付勢部材１２２の特性値、具体的にはばね定数によって調整することができる。第２のシール部材５８の圧縮量を調整することにより、第２のシール部材５８の、突出部５４ｂおよび口金本体１２１に対する密着度（以下、第２のシール部材５８の密着度と言う。）を調整することができる。【００７３】
嵌合状態では、第１のチューブ３は、コネクタ５の第１の管路５５と第１の口金部１１の管路１１ｄとを介して、第１の口金部１１に接続された送気管路１３（図２参照）に連通し、第２のチューブ４は、コネクタ５の第２の管路５６と口金本体１２１の管路１２１ｃとを介して、第２の口金部１２に接続された圧力測定管路１９（図２参照）に連通する。コネクタ５は、第１および第２のチューブ３，４がそれぞれ送気管路１３および圧力測定管路１９に連通するように、第１および第２の口金部１１，１２に対して第１および第２のチューブ３，４を接続するために用いられるものである。【００７４】
（作用および効果）
次に、本実施の形態に係わるコネクタ５および気腹装置１の作用および効果について説明する。本実施の形態では、レセプタクル１０に第１および第２の口金部１１，１２が設けられている。コネクタ５のコネクタ本体５０には、第１および第２のポート５３，５４が設けられていると共に、第１および第２のチューブ３，４が接続されている。第１および第２のポート５３，５４は、第１および第２のチューブ３，４に連通している。コネクタ本体５０をレセプタクル１０に嵌合すると、第１のポート５３は第１の口金部１１と接続且つ連通し、第２のポート５４は第２の口金部１２と接続且つ連通する。このような構成により、本実施の形態によれば、第１および第２の口金部１１，１２に対して、コネクタ５を介して、第１および第２のチューブ３，４をワンタッチで接続することができる。【００７５】
また、本実施の形態によれば、第１および第２の口金部１１，１２が不完全な状態で封止されることを防止することができる。以下、この効果について、比較例のコネクタおよび比較例の気腹器と比較しながら説明する。比較例の気腹器は、第１および第２の口金部と、第１および第２の口金部が設けられたレセプタクルとを有している。第１および第２の口金部の各々の構成は、本実施の形態における第１の口金部１１の構成と同じである。比較例の気腹器のその他の構成は、本実施の形態における気腹器２と同じである。【００７６】
また、比較例のコネクタは、比較例の気腹器のレセプタクルに嵌合するコネクタ本体と、このコネクタ本体に設けられた第１および第２のポートと、第１および第２のシール部材とを具備している。第１および第２のポートの各々の構成は、本実施の形態における第１のポート５３の構成と同じである。第１および第２のシール部材の各々の構成および配置は、本実施の形態における第１のシール部材５７の構成および配置と同じである。第１および第２のシール部材は、いずれも、具体的にはＯリングである。比較例のコネクタのその他の構成は、本実施の形態に係わるコネクタ５と同じである。【００７７】
比較例では、第１のシール部材が第１のポートと第１の口金部に密着し、これにより、第１のポートと第１の口金部との間が封止される。また、比較例では、第２のシール部材が第２のポートと第２の口金部に密着し、これにより、第２のポートと第２の口金部との間が封止される。【００７８】
ところで、コネクタ、レセプタクルならびに第１および第２の口金部の各々の構成要素は、実際には、所定の公差の範囲内で作製される。そのため、仮に、第１の口金部が不完全な状態で封止されることを防止するために、第１のポートの中心軸と第１の口金部の中心軸とが一致するように、コネクタ本体をレセプタクルに嵌合させたとしても、第２のポートの中心軸と第２の口金部の中心軸がずれてしまう場合がある。中心軸のずれ量が大きくなると、第２のシール部材を第２のポートと第２の口金部に確実に密着させることができなくなり、第２の口金部が不完全な状態で封止されてしまう。【００７９】
本実施の形態においても、第１の口金部１１が不完全な状態で封止されることを防止するために、第１のポート５３の中心軸と第１の口金部１１の中心軸とが一致するように、コネクタ本体５０をレセプタクル１０に嵌合させたとしても、第２のポート５４の中心軸と、第２の口金部１２の中心軸がずれてしまう場合がある。しかしながら、本実施の形態では、第２のポート５４は、第２の口金部１２とは、基準方向Ｄにおいて、第２のポート５４の突出部５４ｂと第２の口金部１２の口金本体１２１とが押し合うようにして接続されることから、突出部５４ｂの中心軸と口金本体１２１の中心軸がずれたとしても、中心軸がずれていない場合と同様に、押し合うようにして接続される状態を実現することができる。また、本実施の形態では、第２のシール部材５８は、押し合う突出部５４ｂと口金本体１２１との間に位置する。そのため、本実施の形態によれば、突出部５４ｂの中心軸と口金本体１２１の中心軸のずれの有無に関わらず、第２のシール部材５８を変形させて、第２のポート５４と第２の口金部１２との間を封止することができる。このように、本実施の形態によれば、第１の口金部１１が不完全な状態で封止されることを防止しながら、第２の口金部１２が不完全な状態で封止されることを防止することができる。【００８０】
また、本実施の形態では、第２の口金部１２には、付勢部材１２２が設けられている。もし、付勢部材１２２が設けられておらず、口金本体１２１が収容部材１２３に固定されている場合には、基準方向Ｄにおける口金本体１２１のフランジ部１２１ａの位置のばらつきや、基準方向Ｄにおける第２のポート５４の突出部５４ｂの長さのばらつきや、基準方向Ｄにおける第２のシール部材５８の長さのばらつきによって、第２のシール部材５８が十分に変形しないおそれがある。【００８１】
これに対し、本実施の形態では、付勢部材１２２を設けると共に、突出部５４ｂによって口金本体１２１が押し込まれるように構成することによって、第２のシール部材５８を確実に変形させることができる。これにより、本実施の形態によれば、第２の口金部１２が不完全な状態で封止されることを、より効果的に防止することができる。【００８２】
なお、本実施の形態では、第２のシール部材５８は、突出部５４ｂと口金本体１２１の各々から外力を受けると、基準方向Ｄに圧縮し、且つ第２のシール部材５８の径方向に膨張するように変形する（図１０参照）。第２のシール部材５８が径方向に膨張すると、第２のシール部材５８が、収容部材１２３の収容孔１２３ａの内周面に密着し、第２のポート５４と第２の口金部１２との間が封止される。これにより、本実施の形態によれば、第２の口金部１２が不完全な状態で封止されることを、より効果的に防止することができる。【００８３】
以上のことから、本実施の形態によれば、第１および第２の口金部１１，１２に対して第１および第２のチューブ３，４をワンタッチで接続することができ、且つ第１および第２の口金部１１，１２が不完全な状態で封止されることを防止することができる。【００８４】
以下、本実施の形態におけるその他の効果について説明する。前述の比較例のコネクタおよび比較例の気腹器において、第１および第２の口金部が不完全な状態で封止されることを防止するには、第１および第２のシール部材（Ｏリング）の各々の内径を小さくして、第１のシール部材を第１のポートと第１の口金部に確実に密着させ、且つ第２のシール部材を第２のポートと第２の口金部に確実に密着させることが考えられる。しかし、第１および第２のシール部材の各々の内径を小さくすると、コネクタ本体をレセプタクルに嵌合させるために必要な力（以下、嵌合力と言う。）が大きくなってしまう。もし、嵌合力を低減しようとすると、例えば、倍力効果が得られるてこ機構等の倍力機構を気腹器に設ける必要がある。このように、嵌合力が大きくなったり、倍力機構が必要になったりすると、使用者にとっての使い勝手が悪くなる。また、倍力機構の分だけ、気腹器が高価になってしまう。【００８５】
これに対し、本実施の形態によれば、前述のように、第１および第２の口金部１１，１２が不完全な状態で封止されることを防止することができることから、第１のシール部材５７（Ｏリング）の内径を必要以上に小さくすることは不要である。これにより、本実施の形態によれば、比較例に比べて、嵌合力を小さくすることができる。また、本実施の形態では、上記のような倍力機構は不要である。これらのことから、本実施の形態によれば、比較例に比べて、使用者にとっての使い勝手をよくすることができると共に、気腹器２の価格を低減することができる。【００８６】
また、本実施の形態では、コネクタ本体５０には平面部５０ｃ２が設けられており、コネクタ本体５０が挿入されるレセプタクル１０の嵌合孔１０Ａには平面部１０Ａ２が設けられている。本実施の形態によれば、コネクタ本体５０をレセプタクル１０に嵌合させる際に、平面部１０Ａ２，５０ｃ２を一致させることにより、レセプタクル１０に対するコネクタ本体５０の姿勢を簡単に決定することができる。【００８７】
ところで、第２のポート５４が第２の口金部１２と接続且つ連通することよって構成される第２の経路の内圧が大きい場合には、第２のポート５４と第２の口金部１２との間からの気体の漏洩を防止するために、第２のシール部材５８の密着度を大きくする必要がある。第２のシール部材５８の密着度を大きくするためには、第２のシール部材５８が突出部５４ｂと口金本体１２１の各々から受ける外力が大きくなるように構成する必要がある。このような構成では、嵌合力が大きくなってしまう。【００８８】
これに対し、本実施の形態では、第２の経路は、患者９０の腹腔９１内の圧力を伝達するための経路であり、患者９０の腹腔９１内に気腹用気体を送気するための経路である第１の経路よりも内圧が小さくなる。そのため、本実施の形態によれば、第２の経路が患者９０の腹腔９１内に気腹用気体を送気するための経路である場合に比べて、第２のシール部材５８の密着度を小さくすることができ、嵌合力を小さくすることができる。【００８９】
また、嵌合状態では、第２の管路５６と口金本体１２１の管路１２１ｃとを確実に連通させるために、第２の管路５６の中心軸と管路１２１ｃの中心軸が一致することが望ましい。しかし、実際には、第２の管路５６の中心軸と管路１２１ｃの中心軸がずれてしまう場合がある。これに対し、本実施の形態では、図１０に示したように、第２の管路５６の内径を、管路１２１ｃの内径よりもわずかに大きくしている。これにより、本実施の形態によれば、第２の管路５６の中心軸と管路１２１ｃの中心軸がずれた場合であっても、第２の管路５６と管路１２１ｃを確実に連通させることができる。なお、第２の管路５６の内径は、管路１２１ｃの内径と同じであってもよいし、図１０に示した例よりも大きくてもよい。【００９０】
［変形例］
次に、図１１ないし図１３を参照して、本実施の形態における気腹装置１の変形例について説明する。図１１は、気腹装置１の変形例の構成を示す説明図である。図１２は、コネクタ５の変形例の断面図である。図１３は、第１および第２の口金部の変形例とレセプタクル１０の断面図である。【００９１】
図１１に示したように、変形例では、気腹装置１の気腹器２は、第１の口金部１１および第２の口金部１２の代わりに、第１の口金部１２Ａおよび第２の口金部１２Ｂを有している。変形例における気腹器２のその他の構成は、図２に示した気腹器２と同じである。第１および第２の口金部１２Ａ，１２Ｂは、レセプタクル１０に設けられている。第１の口金部１２Ａには、送気管路１３が接続されている。第２の口金部１２Ｂには、圧力測定管路１９が接続されている。【００９２】
（コネクタの構成）
また、図１２に示したように、変形例では、コネクタ５は、第１のポート５３、第２のポート５４、第１のシール部材５７および第２のシール部材５８の代わりに、第１のポート５４Ａ、第２のポート５４Ｂ、第１のシール部材５８Ａおよび第２のシール部材５８Ｂを具備している。第１のポート５４Ａは、嵌合状態において第１の口金部１２Ａが接続される位置に配置され、第２のポート５４Ｂは、嵌合状態において第２の口金部１２Ｂが接続される位置に配置される。【００９３】
第１および第２のポート５４Ａ，５４Ｂの各々の構成は、第２のポート５４の構成と同じである。すなわち、図１２に示したように、第１のポート５４Ａは、コネクタ本体５０の第２の端部５０ｂに掘られた溝部５４Ａａと、基準方向Ｄに延びるように溝部５４Ａａの底部から突出する突出部５４Ａｂとを含んでいる。溝部５４Ａａおよび突出部５４Ａｂの形状は、図３および図４に示した溝部５４ａおよび突出部５４ｂの形状と同じである。突出部５４Ａｂの先端には、第１のシール部材５８Ａを取り付けるための段差が形成されている。【００９４】
また、図１２に示したように、第２のポート５４Ｂは、コネクタ本体５０の第２の端部５０ｂに掘られた溝部５４Ｂａと、基準方向Ｄに延びるように溝部５４Ｂａの底部から突出する突出部５４Ｂｂとを含んでいる。溝部５４Ｂａおよび突出部５４Ｂｂの形状は、図３および図４に示した溝部５４ａおよび突出部５４ｂの形状と同じである。突出部５４Ｂｂの先端には、第２のシール部材５８Ｂを取り付けるための段差が形成されている。【００９５】
なお、図１２に示したように、基準方向Ｄにおける突出部５４Ａｂの長さは、基準方向Ｄにおける突出部５４Ｂｂの長さよりも大きい。【００９６】
変形例では、第１の管路５５は、一端が第１のポート５４Ａの突出部５４Ａｂの先端で開口し、他端が第１の接続部５１の先端で開口している。これにより、第１のポート５４Ａは、第１のチューブ３に連通する。また、第２の管路５６は、一端が第２のポート５４Ｂの突出部５４Ｂｂの先端で開口し、他端が第２の接続部５２の先端で開口している。これにより、第２のポート５４Ｂは、第２のチューブ４に連通する。【００９７】
嵌合状態では、第１のポート５４Ａは、第１の口金部１２Ａと接続且つ連通し、第２のポート５４Ｂは、第２の口金部１２Ｂと接続且つ連通する。第１のシール部材５８Ａは、嵌合状態において第１のポート５４Ａと第１の口金部１２Ａとの間を封止する。第２のシール部材５８Ｂは、嵌合状態において第２のポート５４Ｂと第２の口金部１２Ｂとの間を封止する。【００９８】
第１のシール部材５８Ａは、第１のポート５４Ａの突出部５４Ａｂの先端に設けられている。第２のシール部材５８Ｂは、第２のポート５４Ｂの突出部５４Ｂｂの先端に設けられている。第１および第２のシール部材５８Ａ，５８Ｂの各々の材料は、第２のシール部材５８の材料と同じである。【００９９】
第１および第２のシール部材５８Ａ，５８Ｂの各々の形状は、図５に示した第２のシール部材５８の形状と同じである。すなわち、第１および第２のシール部材５８Ａ，５８Ｂは、それぞれ、互いに反対側を向いた第１の面５８ａおよび第２の面５８ｂと、第１の面５８ａにおいて開口する嵌合孔５８ｃと、嵌合孔５８ｃに連続し、第２の面５８ｂにおいて開口する通気孔５８ｄとを有している。【０１００】
（第１および第２の口金部の構成）
レセプタクル１０における第１および第２の口金部１２Ａ，１２Ｂの配置は、第１および第２の口金部１１，１２の配置と同じである。第１および第２の口金部１２Ａ，１２Ｂの各々の材料は、第２の口金部１２の材料と同じである。【０１０１】
第１および第２の口金部１２Ａ，１２Ｂの各々の構成は、第２の口金部１２の構成と同じである。すなわち、図１３に示したように、第１の口金部１２Ａは、基準方向Ｄに移動可能に設けられた口金本体１２１Ａと、口金本体１２１Ａに対して基準方向Ｄに付勢力を与える付勢部材１２２Ａと、口金本体１２１Ａと付勢部材１２２Ａを収容する収容部材１２３Ａと、抜け止め部材１２４Ａとを含んでいる。図１３に示したように、付勢部材１２２Ａは、ばね、より具体的にはコイルばねである。【０１０２】
また、図１３に示したように、第２の口金部１２Ｂは、基準方向Ｄに移動可能に設けられた口金本体１２１Ｂと、口金本体１２１Ｂに対して基準方向Ｄに付勢力を与える付勢部材１２２Ｂと、口金本体１２１Ｂと付勢部材１２２Ｂを収容する収容部材１２３Ｂと、抜け止め部材１２４Ｂとを含んでいる。図１３に示したように、付勢部材１２２Ｂは、ばね、より具体的にはコイルばねである。【０１０３】
口金本体１２１Ａ，１２１Ｂの各々の構成は、図６に示した口金本体１２１の構成と同じである。すなわち、口金本体１２１Ａ，１２１Ｂは、それぞれ、フランジ部１２１ａと、管状部１２１ｂと、管路１２１ｃとを含んでいる。口金本体１２１Ａの管路１２１ｃは、レセプタクル１０の嵌合孔１０Ａと送気管路１３（図１１参照）に連通している。口金本体１２１Ｂの管路１２１ｃは、嵌合孔１０Ａと圧力測定管路１９（図１１参照）に連通している。【０１０４】
また、収容部材１２３Ａ，１２３Ｂの各々の構成は、図６に示した収容部材１２３の構成と同じである。すなわち、収容部材１２３Ａ，１２３Ｂは、それぞれ、基準方向Ｄに延びる円筒形状を有しており、その一部が嵌合孔１０Ａ内に位置するように、レセプタクル１０に固定されている。収容部材１２３Ａ，１２３Ｂは、それぞれ、収容孔１２３ａと、通過孔１２３ｂとを有している。収容孔１２３ａと通過孔１２３ｂとの間には、各々の内径の違いに起因する段差が存在する。【０１０５】
口金本体１２１Ａは、収容部材１２３Ａの収容孔１２３ａと通過孔１２３ｂに挿通されている。口金本体１２１Ａは、収容部材１２３Ａの収容孔１２３ａ内において基準方向Ｄに移動可能である。付勢部材１２２Ａ（コイルばね）は、収容部材１２３Ａの収容孔１２３ａに収容されており、口金本体１２１Ａのフランジ部１２１ａと、収容部材１２３Ａの上記段差との間に挟まれている。付勢部材１２２Ａ（コイルばね）の内側には、口金本体１２１Ａの管状部１２１ｂが挿通されている。【０１０６】
口金本体１２１Ｂは、収容部材１２３Ｂの収容孔１２３ａと通過孔１２３ｂに挿通されている。口金本体１２１Ｂは、収容部材１２３Ｂの収容孔１２３ａ内において基準方向Ｄに移動可能である。付勢部材１２２Ｂ（コイルばね）は、収容部材１２３Ｂの収容孔１２３ａに収容されており、口金本体１２１Ｂのフランジ部１２１ａと、収容部材１２３Ｂの上記段差との間に挟まれている。付勢部材１２２Ｂ（コイルばね）の内側には、口金本体１２１Ｂの管状部１２１ｂが挿通されている。【０１０７】
抜け止め部材１２４Ａは、レセプタクル１０の外部において口金本体１２１Ａの管状部１２１ｂに固定されている。抜け止め部材１２４Ａは、口金本体１２１Ａが収容部材１２３Ａから脱落することを防止する機能を有する。また、抜け止め部材１２４Ｂは、レセプタクル１０の外部において口金本体１２１Ｂの管状部１２１ｂに固定されている。抜け止め部材１２４Ｂは、口金本体１２１Ｂが収容部材１２３Ｂから脱落することを防止する機能を有する。【０１０８】
（嵌合状態）
次に、図１２ないし図１４を参照して、変形例における嵌合状態について説明する。図１４は、変形例における嵌合状態を示す断面図である。前述のように、第１のポート５４Ａは、第１の口金部１２Ａと接続且つ連通する。第１のポート５４Ａと第１の口金部１２Ａの接続方法は、図８および図１０を参照して説明した、第２のポート５４と第２の口金部１２の接続方法と同様である。第２のポート５４と第２の口金部１２の接続方法の説明中の、第２のポート５４、溝部５４ａ、突出部５４ｂ、第２の口金部１２、口金本体１２１、付勢部材１２２、収容部材１２３および第２のシール部材５８を、それぞれ第１のポート５４Ａ、溝部５４Ａａ、突出部５４Ａｂ、第１の口金部１２Ａ、口金本体１２１Ａ、付勢部材１２２Ａ、収容部材１２３Ａおよび第１のシール部材５８Ａに置き換えれば、第１のポート５４Ａと第１の口金部１２Ａの接続方法の説明になる。【０１０９】
また、前述のように、第２のポート５４Ｂは、第２の口金部１２Ｂと接続且つ連通する。第２のポート５４Ｂと第２の口金部１２Ｂの接続方法は、図８および図１０を参照して説明した、第２のポート５４と第２の口金部１２の接続方法と同様である。第２のポート５４と第２の口金部１２の接続方法の説明中の、第２のポート５４、溝部５４ａ、突出部５４ｂ、第２の口金部１２、口金本体１２１、付勢部材１２２、収容部材１２３および第２のシール部材５８を、それぞれ第２のポート５４Ｂ、溝部５４Ｂａ、突出部５４Ｂｂ、第２の口金部１２Ｂ、口金本体１２１Ｂ、付勢部材１２２Ｂ、収容部材１２３Ｂおよび第２のシール部材５８Ｂに置き換えれば、第２のポート５４Ｂと第２の口金部１２Ｂの接続方法の説明になる。【０１１０】
変形例では特に、第１の口金部１２Ａの収容部材１２３Ａの収容孔１２３ａ内に挿入された第１のポート５４Ａの突出部５４Ａｂは、第１の口金部１２Ａの口金本体１２１Ａを押し込み、第２の口金部１２Ｂの収容部材１２３Ｂの収容孔１２３ａ内に挿入された第２のポート５４Ｂの突出部５４Ｂｂは、第２の口金部１２Ｂの口金本体１２１Ｂを押し込む。前述のように、基準方向Ｄにおける突出部５４Ａｂの長さは、基準方向Ｄにおける突出部５４Ｂｂの長さよりも大きい。そのため、図１４に示したように、突出部５４Ａｂが口金本体１２１Ａを押し込む距離は、突出部５４Ｂｂが口金本体１２１Ｂを押し込む距離よりも大きくなる。その結果、基準方向Ｄにおける付勢部材１２２Ａの圧縮量は、基準方向Ｄにおける付勢部材１２２Ｂの圧縮量よりも大きくなり、付勢部材１２２Ａによって口金本体１２１Ａに与えられる付勢力は、付勢部材１２２Ｂによって口金本体１２１Ｂに与えられる付勢力よりも大きくなる。【０１１１】
第１のシール部材５８Ａは、嵌合状態において第１のポート５４Ａと第１の口金部１２Ａとの間を封止する部材である。第１のシール部材５８Ａが第１のポート５４Ａと第１の口金部１２Ａとの間を封止する方法は、図８および図１０を参照して説明した、第２のシール部材５８が第２のポート５４と第２の口金部１２との間を封止する方法と同様である。第２のシール部材５８が第２のポート５４と第２の口金部１２との間を封止する方法の説明中の、第２のポート５４、突出部５４ｂ、第２の口金部１２、口金本体１２１、付勢部材１２２および第２のシール部材５８を、それぞれ第１のポート５４Ａ、突出部５４Ａｂ、第１の口金部１２Ａ、口金本体１２１Ａ、付勢部材１２２Ａおよび第１のシール部材５８Ａに置き換えれば、第１のシール部材５８Ａが第１のポート５４Ａと第１の口金部１２Ａとの間を封止する方法の説明になる。【０１１２】
また、第２のシール部材５８Ｂは、嵌合状態において第２のポート５４Ｂと第２の口金部１２Ｂとの間を封止する部材である。第２のシール部材５８Ｂが第２のポート５４Ｂと第２の口金部１２Ｂとの間を封止する方法は、図８および図１０を参照して説明した、第２のシール部材５８が第２のポート５４と第２の口金部１２との間を封止する方法と同様である。第２のシール部材５８が第２のポート５４と第２の口金部１２との間を封止する方法の説明中の、第２のポート５４、突出部５４ｂ、第２の口金部１２、口金本体１２１、付勢部材１２２および第２のシール部材５８を、それぞれ第２のポート５４Ｂ、突出部５４Ｂｂ、第２の口金部１２Ｂ、口金本体１２１Ｂ、付勢部材１２２Ｂおよび第２のシール部材５８Ｂに置き換えれば、第２のシール部材５８Ｂが第２のポート５４Ｂと第２の口金部１２Ｂとの間を封止する方法の説明になる。【０１１３】
なお、前述のように、変形例では、突出部５４Ａｂが口金本体１２１Ａを押し込む距離は、突出部５４Ｂｂが口金本体１２１Ｂを押し込む距離よりも大きくなり、付勢部材１２２Ａによって口金本体１２１Ａに与えられる付勢力は、付勢部材１２２Ｂによって口金本体１２１Ｂに与えられる付勢力よりも大きくなる。そのため、第１のシール部材５８Ａの圧縮量は、第２のシール部材５８Ｂの圧縮量よりも大きくなり、その結果、第１のシール部材５８Ａの、突出部５４Ａｂおよび口金本体１２１Ａに対する密着度（以下、第１のシール部材５８Ａの密着度と言う。）は、第２のシール部材５８Ｂの、突出部５４Ｂｂおよび口金本体１２１Ｂに対する密着度（以下、第２のシール部材５８Ｂの密着度と言う。）よりも大きくなる。【０１１４】
変形例では、第１のポート５４Ａが第１の口金部１２Ａと接続且つ連通することよって第１の経路が構成され、第２のポート５４Ｂが第２の口金部１２Ｂと接続且つ連通することよって第２の経路が構成される。第１の経路は、第１の経路は、患者９０の腹腔９１（図１参照）内に気腹用気体を供給するための経路である。第２の経路は、患者９０の腹腔９１内の圧力を伝達するための経路である。第１の経路の内圧は、第２の経路の内圧よりも大きくなる。もし、第１のシール部材５８Ａの密着度が第２のシール部材５８Ｂの密着度よりも小さい場合には、第１のポート５４Ａと第１の口金部１２Ａとの間から気体が漏洩するおそれがある。これを防止するために、第１のシール部材５８Ａの密着度を大きくすると、嵌合力が大きくなってしまう。【０１１５】
これに対し、変形例では、第１のシール部材５８Ａの密着度を第２のシール部材５８Ｂの密着度よりも大きくしている。すなわち、変形例では、そのシール部材が用いられる経路の内圧が大きい場合にはそのシール部材の密着度が大きくなるように、経路の内圧と密着度とを相関させることにより、第１のポート５４Ａと第１の口金部１２Ａとの間から気体が漏洩することを防止しながら、嵌合力を小さくすることができる。【０１１６】
なお、変形例では、付勢部材１２２Ａのばね定数と付勢部材１２２Ｂのばね定数は、同じであってもよいし、互いに異なっていてもよい。また、基準方向Ｄにおける突出部５４Ａｂの長さと基準方向Ｄにおける突出部５４Ｂｂの長さを等しくして、付勢部材１２２Ａのばね定数と付勢部材１２２Ｂのばね定数を互いに異ならせることにより、第１のシール部材５８Ａの圧縮量と第２のシール部材５８Ｂの圧縮量を互いに異ならせてもよい。この場合、第１のシール部材５８Ａの圧縮量が第２のシール部材５８Ｂの圧縮量よりも大きくなるように、付勢部材１２２Ａのばね定数と付勢部材１２２Ｂのばね定数を調整することが好ましい。【０１１７】
ところで、変形例では、第１および第２の口金部１２Ａ，１２Ｂには、それぞれ、付勢部材１２２Ａ，１２２Ｂが設けられている。もし、付勢部材１２２Ａ，１２２Ｂが設けられておらず、口金本体１２１Ａ，１２１Ｂがそれぞれ収容部材１２３Ａ，１２３Ｂに固定されている場合には、基準方向Ｄにおける口金本体１２１Ａ，１２１Ｂの各々のフランジ部１２１ａの位置のばらつきや、基準方向Ｄにおける突出部５４Ａｂ，５４Ｂｂの各々の長さのばらつきや、基準方向Ｄにおける第１および第２のシール部材５８Ａ，５８Ｂの各々の長さのばらつきによって、第１および第２のシール部材５８Ａ，５８Ｂが十分に変形しないおそれがある。【０１１８】
これに対し、変形例では、付勢部材１２２Ａ，１２２Ｂを設けると共に、突出部５４Ａｂによって口金本体１２１Ａが押し込まれ、突出部５４Ｂｂによって口金本体１２１Ｂが押し込まれるように構成することによって、第１および第２のシール部材５８Ａ，５８Ｂを確実に変形させることができる。これにより、第１および第２の口金部１２Ａ，１２Ｂが不完全に封止されることを防止することができる。【０１１９】
本発明は、上述した実施の形態に限定されるものではなく、本発明の要旨を変えない範囲において、種々の変更、改変等が可能である。例えば、図５に示した第２のシール部材５８の代わりに、Ｏリングを用いてもよい。このＯリングは、突出部５４ｂの先端に取り付けられる。【０１２０】
また、気腹用気体の供給量が比較的少ない場合には、第２のポート５４が第２の口金部１２と接続且つ連通することによって構成される第２の経路が、患者９０の腹腔９１内の圧力を伝達するための経路になり、第１のポート５３が第１の口金部１１と接続且つ連通することによって構成される第１の経路が、患者９０の腹腔９１内に気腹用気体を供給するための経路になってもよい。【０１２１】
また、第１の経路と第２の経路の両方が、気腹用気体を送気するための供給であってもよい。この場合には、より多くの気腹用気体を患者９０の腹腔９１内に供給することができ、気腹装置１をより大きな容積の腹腔９１に適用させることができる。第１の経路の内圧は、第２の経路の内圧と同じであってもよいし、第２の経路の内圧よりも大きくてもよい。後者の場合には、第１のポート５３と第１の口金部１１との間から気体が漏洩することを防止しながら、嵌合力を小さくすることができる。【０１２２】
また、変形例では、ポート、口金部およびシール部材が２組設けられているが、ポート、口金部およびシール部材は、３組以上設けられていてもよい。これにより、３本以上のチューブをワンタッチで接続することができる。【０１２３】
本出願は、２０１８年２月６日に日本国に出願された特願２０１８−１９３１７号を優先権主張の基礎として出願するものであり、上記の開示内容は、本願明細書、請求の範囲に引用されるものとする。
【図１】
2019155661.tif 000003
【図２】
2019155661.tif 000004
【図３】
2019155661.tif 000005
【図４】
2019155661.tif 000006
【図５】
2019155661.tif 000007
【図６】
2019155661.tif 000008
【図７】
2019155661.tif 000009
【図８】
2019155661.tif 000010
【図９】
2019155661.tif 000011
【図１０】
2019155661.tif 000012
【図１１】
2019155661.tif 000013
【図１２】
2019155661.tif 000014
【図１３】
2019155661.tif 000015
【図１４】
2019155661.tif 000016
【手続補正書】
【提出日】令和2年7月13日(2020.7.13)
【手続補正２】
【補正対象書類名】明細書
【補正対象項目名】０００１
【補正方法】変更
【補正の内容】
【０００１】
本発明は、気腹器、気腹器に複数のチューブを接続するために用いられる気腹器用コネクタ、および気腹器と気腹器用コネクタとを具備する気腹装置に関する。
【手続補正３】
【補正対象書類名】明細書
【補正対象項目名】００１１
【補正方法】変更
【補正の内容】
【００１１】
本発明の一態様の気腹器は、第１のチューブおよび第２のチューブが接続されたコネクタが挿入可能であり且つ挿入された前記コネクタと接続されるレセプタクルを備えた気腹器であって、前記レセプタクルは、前記コネクタと前記レセプタクルの接続時に前記第１のチューブと連通する第１の口金部と、前記コネクタの挿入方向とは逆方向に付勢され、前記コネクタと前記レセプタクルの接続時に前記第２のチューブと連通する口金本体を含む第２の口金部とを備えている。
本発明の一態様の気腹器用コネクタは、気腹器に設けられたレセプタクルに挿入可能な気腹器用コネクタであって、前記レセプタクルに設けられた第１の口金部と接続且つ連通する第１のポートと、前記レセプタクルに設けられ前記コネクタの挿入方向とは逆方向に付勢された口金本体を含む第２の口金部と接続且つ連通する第２のポートと、前記第１のポートと前記第１の口金部との間を封止する第１のシール部材と、前記第２のポートと前記第２の口金部との間を封止する第２のシール部材とを具備し、前記第１のポートは、前記第１の口金部とは、前記第１のポートの少なくとも一部と前記第１の口金部の少なくとも一部とが嵌合され且つ重なり合うようにして接続され、前記第２のポートは、前記第２の口金部とは、前記第２のポートの少なくとも一部と前記第２の口金部の少なくとも一部とが嵌合され且つ押し合うようにして接続され、前記第１のシール部材は、嵌合され且つ重なり合う前記第１のポートと前記第１の口金部との間に位置するように、前記第１のポート内に配置され、前記第２のシール部材は、嵌合され且つ押し合う前記第２のポートと前記第２の口金部との間に位置するように、前記第２のポート内に配置されている。
【手続補正４】
【補正対象書類名】特許請求の範囲
【補正対象項目名】全文
【補正方法】変更
【補正の内容】
【特許請求の範囲】
【請求項１】
第１のチューブおよび第２のチューブが接続されたコネクタが挿入可能であり且つ挿入された前記コネクタと接続されるレセプタクルを備えた気腹器であって、
前記レセプタクルは、
前記コネクタと前記レセプタクルの接続時に前記第１のチューブと連通する第１の口金部と、
前記コネクタの挿入方向とは逆方向に付勢され、前記コネクタと前記レセプタクルの接続時に前記第２のチューブと連通する口金本体を含む第２の口金部とを備えていることを特徴とする気腹器。
【請求項２】
気腹器に設けられたレセプタクルに挿入可能な気腹器用コネクタであって、
前記レセプタクルに設けられた第１の口金部と接続且つ連通する第１のポートと、
前記レセプタクルに設けられ、前記気腹器用コネクタの挿入方向とは逆方向に付勢された口金本体を含む第２の口金部と接続且つ連通する第２のポートと、
前記第１のポートと前記第１の口金部との間を封止する第１のシール部材と、
前記第２のポートと前記第２の口金部との間を封止する第２のシール部材とを具備し、
前記第１のポートは、前記第１の口金部とは、前記第１のポートの少なくとも一部と前記第１の口金部の少なくとも一部とが嵌合され且つ重なり合うようにして接続され、
前記第２のポートは、前記第２の口金部とは、前記第２のポートの少なくとも一部と前記第２の口金部の少なくとも一部とが嵌合され且つ押し合うようにして接続され、
前記第１のシール部材は、嵌合され且つ重なり合う前記第１のポートと前記第１の口金部との間に位置するように、前記第１のポート内に配置され、
前記第２のシール部材は、嵌合され且つ押し合う前記第２のポートと前記第２の口金部との間に位置するように、前記第２のポート内に配置されていることを特徴とする気腹器用コネクタ。
【請求項３】
前記第１のポートは、前記第１の口金部とは、仮想の直線に平行な方向である基準方向に延びる前記第１のポートの少なくとも一部と前記基準方向に延びる前記第１の口金部の少なくとも一部とが嵌合され且つ重なり合うようにして接続され、
前記第２のポートは、前記第２の口金部とは、前記基準方向において、前記第２のポートの少なくとも一部と前記第２の口金部の少なくとも一部とが嵌合され且つ押し合うようにして接続され、
前記第１のシール部材は、嵌合され且つ重なり合う前記第１のポートの少なくとも一部と前記第１の口金部の少なくとも一部との間に位置し、
前記第２のシール部材は、嵌合され且つ押し合う前記第２のポートの少なくとも一部と前記第２の口金部の少なくとも一部との間に位置することを特徴とする請求項２に記載の気腹器用コネクタ。
【請求項４】
前記第１のポートは、前記第１の口金部の少なくとも一部の外周面に対向する内周面と、前記内周面において前記内周面の中心軸周り方向に形成された溝部とを含み、
前記第１のシール部材は、環状の形状を有し、その一部が前記溝部に収容されていることを特徴とする請求項２に記載の気腹器用コネクタ。
【請求項５】
前記第１のシール部材は、弾性変形可能な材料よりなることを特徴とする請求項２に記載の気腹器用コネクタ。
【請求項６】
前記第２のポートは、突出部を含み、
前記第２のシール部材は、前記突出部の先端に設けられていることを特徴とする請求項２に記載の気腹器用コネクタ。
【請求項７】
前記第２のシール部材は、弾性変形可能な材料よりなることを特徴とする請求項２に記載の気腹器用コネクタ。
【請求項８】
前記第１のポートと前記第１の口金部とが接続且つ連通することによって構成される第１の経路は、患者の腹腔内に気腹用気体を供給するための経路であり、
前記第２のポートと前記第２の口金部とが接続且つ連通することによって構成される第２の経路は、前記腹腔内の圧力を伝達するための経路であることを特徴とする請求項２に記載の気腹器用コネクタ。
【請求項９】
第１の口金部と、第２の口金部と、前記第１の口金部および前記第２の口金部が設けられたレセプタクルとを有する気腹器と、
患者の腹腔内に連通する第１のチューブおよび第２のチューブと、
前記第１の口金部および前記第２の口金部に対して前記第１のチューブおよび前記第２のチューブを接続するために用いられる気腹器用コネクタとを具備する気腹装置であって、
前記気腹器用コネクタは、
互いに反対側に位置する第１の端部および第２の端部を有し、前記レセプタクルに嵌合するコネクタ本体と、
前記コネクタ本体における前記第１の端部側に配置され、それぞれ前記第１のチューブおよび前記第２のチューブが接続される第１の接続部および第２の接続部と、
前記コネクタ本体における前記第２の端部側に配置され、前記第１の接続部に接続された前記第１のチューブに連通し、且つ前記コネクタ本体が前記レセプタクルに嵌合された状態である嵌合状態において前記第１の口金部と接続且つ連通する第１のポートと、
前記コネクタ本体における前記第２の端部側に配置され、前記第２の接続部に接続された前記第２のチューブに連通し、且つ前記嵌合状態において前記第２の口金部と接続且つ連通する第２のポートと、
前記嵌合状態において前記第１のポートと前記第１の口金部との間を封止する第１のシール部材と、
前記嵌合状態において前記第２のポートと前記第２の口金部との間を封止する第２のシール部材とを具備し、
前記第１の端部および前記第２の端部と交差する仮想の直線に平行な方向を基準方向としたときに、前記第１のポートは、前記第１の口金部とは、前記基準方向に延びる前記第１のポートの少なくとも一部と前記基準方向に延びる前記第１の口金部の少なくとも一部とが重なり合うようにして接続され、
前記第２のポートは、前記第２の口金部とは、前記基準方向において、前記第２のポートの少なくとも一部と前記第２の口金部の少なくとも一部とが押し合うようにして接続され、
前記第１のシール部材は、前記嵌合状態において、重なり合う前記第１のポートの少なくとも一部と前記第１の口金部の少なくとも一部との間に位置するように、前記第１のポート内に配置され、
前記第２のシール部材は、前記嵌合状態において、押し合う前記第２のポートの少なくとも一部と前記第２の口金部の少なくとも一部との間に位置するように、前記第２のポート内に配置されていることを特徴とする気腹装置。
【請求項１０】
前記第１のポートは、前記第１の口金部の少なくとも一部の外周面に対向し且つ前記基準方向に平行な中心軸を有する内周面と、前記内周面において前記中心軸周り方向に形成された溝部とを含み、
前記第１のシール部材は、環状の形状を有し、その一部が前記溝部に収容されていることを特徴とする請求項９に記載の気腹装置。
【請求項１１】
前記第１のシール部材は、弾性変形可能な材料よりなり、前記嵌合状態では、重なり合った前記第１のポートと前記第１の口金部の各々から外力を受けて変形し、前記第１のシール部材から前記第１のポートと前記第１の口金部の各々に向かって生じる第１の反発力によって前記第１のポートと前記第１の口金部との間を封止することを特徴とする請求項９に記載の気腹装置。
【請求項１２】
前記第２のポートは、前記基準方向に延びる突出部を含み、
前記第２のシール部材は、前記突出部の先端に設けられていることを特徴とする請求項９に記載の気腹装置。
【請求項１３】
前記第２のシール部材は、弾性変形可能な材料よりなり、前記嵌合状態では、押し合った前記第２のポートと前記第２の口金部の各々から外力を受けて変形し、前記第２のシール部材から前記第２のポートと前記第２の口金部の各々に向かって生じる第２の反発力によって前記第２のポートと前記第２の口金部との間を封止することを特徴とする請求項９に記載の気腹装置。
【請求項１４】
前記第２の口金部は、前記基準方向に移動可能に設けられた口金本体と、前記口金本体に対して前記基準方向に付勢力を与える付勢部材とを含み、
前記嵌合状態では、前記第２のポートの少なくとも一部は、前記口金本体を押し込み、前記付勢部材は、前記口金本体に対して、押し込まれた方向とは反対の方向に付勢力を与えることを特徴とする請求項９に記載の気腹装置。
【請求項１５】
前記付勢部材は、ばねであることを特徴とする請求項１４に記載の気腹装置。
【請求項１６】
前記第１のポートと前記第１の口金部とが接続且つ連通することによって構成される第１の経路は、前記腹腔内に気腹用気体を供給するための経路であり、
前記第２のポートと前記第２の口金部とが接続且つ連通することによって構成される第２の経路は、前記腹腔内の圧力を伝達するための経路であり、
前記気腹器は、更に、前記第１の経路の一部を構成し且つ前記気腹用気体を供給する送気管路と、圧力センサと、前記第２の経路の一部を構成し且つ前記圧力センサに連通する圧力測定管路とを有することを特徴とする請求項９に記載の気腹装置。
【国際調査報告】
2019155661.tif 000017
2019155661.tif 000018